(57)【要約】      （修正有）【課題】従来の使用方法にも対応できるうえ、より繊細な仕掛けを糸絡みなく沖に投入する事ができる釣り用天秤を提供する。【解決手段】道糸７を、中通し錘３Ｂを使う時はその中に通し、使わない時はそのまま樹脂製の中空パイプでできた本天秤１の中空部を通し、シモリウキ４を通し、より戻し６に接続する。該より戻し６の反対側には任意の仕掛け８等を接続する。道糸７側はウキ釣りならウキ５を任意に取り付けておく。また、寄せ餌用の籠２を本天秤１に直接取付使用することもできる。以上の構成により水中では、道糸７とハリス等の仕掛け８が直線になり完全な引き通しになるので魚等も天秤１が受ける水の抵抗を感じにくく、繊細な魚信を直接ウキや竿先に伝えるので、より繊細な魚釣りが実現できる。【選択図】図１
2009189353.tif 000002
【特許請求の範囲】
【請求項１】
直線の樹脂製中空パイプを利用した魚釣り用の天秤
【発明の詳細な説明】
【技術分野】
【０００１】  本発明は、魚釣り用の天秤に関する。
【背景技術】
【０００２】  従来の天秤を図６〜図９に示す。金属や樹脂パイプを利用した物で、Ｌ字状や弓状の形態をしているか、投入時にＬ字状の形態になり、天秤の先の８で示すハリスや仕掛けが、７の道糸に絡まないようになっている。【０００３】  図６、図７の１１はＬ字状で、図８の１２が弓状の形態をした天秤を示す。天秤に付属するものは、１３で、錘であったり寄せ餌を入れるための籠であったりする。図の位置に固定してあったり、スナップ等で取り付けたりする。１６の二点鎖線は道糸とハリス等を直結した場合の釣り糸の位置を示す。【０００４】  また、図９の１４は投入時にＬ字状になる形態の天秤で、棒状構造部の両側か少なくとも先端側に金属を使っている。投入時、１３Ａの錘や寄せ餌用の籠が天秤本体の連結部１５に移動し、先端側に連結された天秤の一部が折れ、錘等の力によりＬ字状の形態を保ちながら飛行する。水面に落下後、水中では、錘等の重さは浮力により軽くはなるが、なお、錘等の力により、Ｌ字状の形態を保ち、７の道糸へ８のハリスや仕掛けが絡む事を防いでいる。道糸とハリス等は天秤の両端に連結する事が一般的で、道糸とハリス等を直結すると、絡みやすくなる。
【発明の開示】
【発明が解決しようとする課題】
【０００５】  以上に述べた従来の方法で、金属の天秤では重さがあった。ウキ釣りではその重さに対応するウキが必要で、軽量の負荷を背負うウキを使ったウキ釣りには対応できない。投げ釣りは当然だが、ズボ釣りの場合もより硬い竿を使用しなければならなくなる。魚等が針掛りする時、ウキや竿先の負荷とともに、水の抵抗を受けた天秤の負荷も感じる。道糸とハリスや仕掛けが直結できる天秤も、Ｌ字状や弓状の形態の為、水中で全仕掛けが直線にならず、水の抵抗を受けた天秤の負荷は糸と天秤の摩擦で、魚等に伝わる事になる。【０００６】  また、樹脂パイプを使った天秤は、Ｌ字や弓状の形態で、天秤の両端に道糸と、ハリス等を連結する事が一般的である。この場合天秤の重さは軽くでき、負荷の小さいウキも使用できる。しかし、ハリス等を天秤に連結している時は勿論、たとえ道糸とハリス等を直結しても水中で直線にならない為、魚等が針掛りする時、糸と天秤の摩擦により水の抵抗を受けた天秤の負荷が伝わる。【０００７】  天秤を使わず籠を単体で仕掛けに取り付けた場合は軽量にでき、引き通して使えば籠が水の抵抗で受ける負荷も軽減できるが岸から遠くに投入する時の糸がらみを防ぐことができない。錘を単体で取り付けた場合も同じように糸がらみは防げない
【課題を解決するための手段】
【０００８】  本発明の、天秤は投入時のみ弓状になるが、水中では直線になり、また道糸と、ハリスや仕掛けを直結する為、魚等の魚信を、ウキ釣りの場合はウキに、投げ釣り、ズボ釣り、ブッ込み釣りの場合は竿先に、直接伝える事ができる。糸と天秤の摩擦は少なく、水の抵抗を受けた天秤の負荷が魚等に伝わりにくい。樹脂パイプ製で天秤自身も軽量にできる。【０００９】  また、本発明では、中空パイプの中間部に、直接錘や寄せ餌用の籠を取り付けるか、同じようにパイプの中間部に取り付けたスナップ等に、任意の錘や寄せ餌用の籠を取り付ける事で、天秤として機能するので、投入時の糸絡みを防ぐことができる。【００１０】  原理は同じであるが、本天秤にウキを取り付ければ、表面に居るサヨリ等の魚を釣る為の天秤としても使える。この場合も魚等は天秤が受ける水の抵抗による負荷をあまり受けない為、ハリス等に付けた当りウキに明確な魚信を伝える。
【発明の効果】
【００１１】  前述したように本発明の天秤は完全な引き通しの仕掛けにでき、水中では直線になる為、魚信を直接ウキや竿先に伝える事ができる。中空パイプは軽量の樹脂であり、軽量の樹脂やナイロンの籠と組み合わせれば負荷の軽いウキや繊細な穂先を使った釣りにも使用でき、籠を使ったズボ釣りも可能になる。籠を使用したウキ釣りやブッ込み釣りの場合でも、入れる寄せ餌の重さで仕掛けを岸から遠くに投入できる。錘を使った投げ釣りやズボ釣りの場合も籠の場合と同じように、魚等は針掛りする時、水で抵抗を受けた天秤の負荷を感じにくい。
【発明を実施するための最良の形態】
【００１２】  以下、本発明の実施の形態を図１〜図５に基づいて説明する。【００１３】  図１〜図５において、１は天秤を構成する樹脂製の中空パイプで、通常は外径３ミリ程度を使用するが、使用に耐える強度であれば細くても良い。また、使用する道糸が太い場合、抵抗がないように、パイプも太くしなければならない。さらに、重量のある錘や寄せ餌用の籠を取り付ける時も、太くて強度のあるパイプを使用する。４は本天秤の抜け落ちを防ぐ為の任意のシモリウキで、天秤の重量を受け止める役目上、シモリウキ自身ある程度強度のある物が必要である。６はシモリウキを止めるための任意のより戻しで、環、スナップ付きのより戻しでも良い。７は任意の道糸。８はハリスや仕掛けで、任意のサビキ仕掛け等を示す。【００１４】  図１において、２は寄せ餌用の籠で、パイプに直接取り付けた仕様。３Ｂはウキ釣り用の錘で、使用するウキの負荷にあわせた任意の錘。５、９は図５で述べるウキ【００１５】  図２において、３は錘で、パイプに直接取り付ける仕様。【００１６】  図３において、１０は寄せ餌用の籠を取り付けるためのスナップ等で、多種の籠を都度着脱できる仕様。２Ａは寄せ餌用の籠で、餌の種類、量等により、任意の籠を取り付ける。３Ｂはウキ釣り用の錘であり、図１で述べたものと同じ。５、９は図５で述べるウキ【００１７】  図４における３Ａは任意の錘で、都度負荷の違う錘を１０のスナップ等に取り付ける。図３の籠と錘が違うだけで同じ仕様。【００１８】  図５において、５は天秤を水面で水平に留めておくためのウキで、１の両端でなくても水面で水平を保つよう籠を挟む形で固定して取り付ける。図５では２Ｂで示すロケット型の寄せ餌用の籠を取り付ける。この籠は寄せ餌を入れる時は前部と後部を前後にスライドさせて開閉するので固定せず、上下に穴を開けパイプを引き通して取り付ける。ハリス等の側のウキ５を先端付近に取り付ける時はこの籠が天秤の先端まで移動しないよう、道糸側のウキ５との間に籠２Ｂを止める為の５Ｂを固定して取り付ける。９は魚等の魚信を見る為の任意の当りウキ。【００１９】  図１と図３の形状で示す天秤に５のウキを取り付ける場合も、籠を挟む形で取り付ければよい。また、どちらの場合も３Ｂの錘は付加せず、９のウキをそれぞれの図に示す位置に付加する。天秤に５のウキを取り付けるのは、水面近くの魚等が、釣りの対象なので、錘をつけた図２、図４の形態のものは、対象外になる。【００２０】  仕掛け全体の接続方法は、道糸を、３Ｂを使う時はその中に通し、使わない時はそのまま本天秤の中空部を通し、４を通し、６に接続する。６の反対側には任意の仕掛け等を接続する。道糸側はウキ釣りならウキを任意に取り付けておく。投げ釣り等なら道糸側に特別なものは不要。【００２１】  以下上記構成の動作を説明する。図１〜図５、全てにおいて、仕掛けを投入した時、２、２Ａ、２Ｂの寄せ餌用の籠、または３、３Ａの錘の重さにより、その部分が先行して、飛行する。この時、８で示すハリス等と７の道糸は風の抵抗で後ろに引かれ、パイプは弾力で、弓状になる。道糸側と、ハリス側は、パイプにより、距離が保たれるため、糸絡みしない。【００２２】  図１と図３で示す、寄せ餌用の籠を使用��る場合、着水すると３Ｂの重りが先行して沈み、天秤のハリス等の側が、斜め上になって沈下するが、それでもなお、道糸側とハリス側には距離があるため糸絡みを防止することができる。籠の付いた天秤は３Ｂの錘により、ハリス等の近くまで沈下し直線に戻り、付け餌の近くに寄せ餌を撒く事ができる。【００２３】  図５等で示す、水面近くの魚等を対象とする天秤の場合、着水すると天秤は５のウキにより水平に水面に浮かび、２、２Ａ、２Ｂの籠から水面に寄せ餌がこぼれる。道糸を引くと更に寄せ餌を撒きながら道糸側が手前に９のウキが沖側になり、寄せ餌の周辺に付け餌を誘導することができる。魚等が針掛りすると、９の当りウキが、前後、左右に走ったり、水中に沈んだりするので、容易に魚信が見られる。【００２４】  図２、図４の場合と、図１、図３を使ったブッ込み釣りの場合も着水すると空中を飛行した時と同様に、天秤は水中を弓状に沈下し糸がらみを防止する。ズボ釣りの場合水中で垂直に、投げ釣り等の場合は水底の形に合わせて直線に戻る。【００２５】  前述の通り、籠、錘何れの場合も仕掛けが馴染み静止すれば、本天秤は直線に戻り、魚等が針掛りしても、全仕掛けが完全に引き通しとなるため、ウキや竿先に直接魚信が伝わり、繊細な魚信の、魚等の釣りにも適用できる。【００２６】  図５等で示すような、水面近くを釣る天秤でなければ、ウキ釣りのウキを外せば籠を使ったブッ込み釣りやズボ釣り、さらに籠を、竿の負荷の範囲で錘に交換すれば、投げ釣りに簡単に変更できる【００２７】  本発明の範囲は、図１の場合１に２を取り付けた形態、それに籠を挟む形で５のウキを取り付けた形態、図２の場合１に３を取り付けた形態、図３、図４では１に１０を取り付けた形態、それに１０挟む形で５のウキを取り付けた形態、図５では１に２Ｂ、５、必要に応じ５Ｂを取り付けた形態の６種類になる。また、本発明の範囲には、１の樹脂製中空パイプの切断面が円形でない形状も含まれ、２、２Ｂの寄せ餌を入れる籠、３の錘、５のウキ、５Ｂの籠止め具は全ての素材、形状が含まれる。同様に１０のスナップ等は任意の寄せ餌用籠や錘を着脱するものであれば全ての素材、形状が含まれる。
【図面の簡単な説明】
【００２８】
【図１】本発明の実施形態を示す寄せ餌籠を取り付けた図
【図２】本発明の実施形態を示す錘を取り付けた図
【図３】本発明の実施形態を示すスナップ等に任意の寄せ餌籠を取り付けた図
【図４】本発明の実施形態を示すスナップ等に任意の錘を取り付けた図
【図５】本発明の実施形態を示すウキと籠止め具寄せ餌籠を取り付けた図
【図６】Ｌ字状を示す従来の天秤図
【図７】Ｌ字状を示す従来の天秤図
【図８】弓状を示す従来の天秤図
【図９】投入時Ｌ字状形態を示す従来の天秤図
【符号の説明】
【００２９】１      樹脂製中空パイプ
２      寄せ餌籠
２Ａ    スナップ等に取り付けた任意の寄せ餌籠
２Ｂ    ロケット型寄せ餌籠
３      錘
３Ａ    スナップ等に取り付けた任意の錘
３Ｂ    一般のウキ釣り時に使う任意の中通し錘
４      任意のシモリウキ
５      天秤に取り付けたウキ
５Ｂ    天秤に引き通して取り付けた籠の止め具
６      任意のより戻し等
７      任意の道糸
８      任意のハリスまたは仕掛け
９      魚信を取る為の任意の当りウキ
１０    錘や寄せ餌用の籠を取り付けるためのスナップ等
１１    従来のＬ字状の形態の天秤で素材は金属または樹脂
１２    従来の弓状の形態の天秤で素材は金属または樹脂
１３    従来の錘または寄せ餌用籠
１３Ａ  投入時Ｌ字状になる天秤での従来の錘または寄せ餌用籠
１４    投入時Ｌ字状になる従来の天秤で竿状の構造の一部は金属製
１５    投入時Ｌ字状になる従来の天秤の連結部分
１６    道糸とハリス等を直結した場合の釣り糸の位置
【図１】
2009189353.tif 000003
【図２】
2009189353.tif 000004
【図３】
2009189353.tif 000005
【図４】
2009189353.tif 000006
【図５】
2009189353.tif 000007
【図６】
2009189353.tif 000008
【図７】
2009189353.tif 000009
【図８】
2009189353.tif 000010
【図９】
2009189353.tif 000011